(57)【特許請求の範囲】
【請求項１】
用紙が設置される給紙口と、その給紙口に設置された用紙を搬送する搬送装置と、その搬送装置により搬送された用紙を排出するため、前記給紙口より上方に設けられる排紙口と、その排紙口から排出された用紙を保持するため、その排紙口から用紙排出方向へ延出される用紙保持部材とを備えた給紙装置において、
前記用紙保持部材の前記排紙口側部分に開口形成され、その用紙保持部材の下方へ向けて用紙を挿入可能に形成された手差し給紙口と、
その手差し給紙口における前記排紙口側の縁部から下方に突設される突起部材と、
その突起部材の下方に設けられ、前記手差し給紙口から前記給紙口へと連通する連通空間とを備えていることを特徴とする給紙装置。
【請求項２】
前記用紙保持部材は、その用紙保持部材における前記排紙口側の端部から用紙排出方向へ下降傾斜しつつ延出される用紙端受け部を備えていることを特徴とする請求項１記載の給紙装置。
【請求項３】
前記突起部材は、用紙排出方向へ下降傾斜するように突設されていることを特徴とする請求項１または２に記載の給紙装置。
【請求項４】
前記突起部材は、前記用紙保持部材に一体的に形成されていることを特徴とする請求項１から３のいずれかに記載の給紙装置。
【請求項５】
用紙が設置される給紙口と、その給紙口に設置された用紙を搬送する搬送装置と、その搬送装置により搬送された用紙を排出するため、前記給紙口より上方に設けられる排紙口と、その排紙口から排出された用紙を保持するため、その排紙口から用紙排出方向へ延出される用紙保持部材とを備えた給紙装置において、
前記用紙保持部材の前記排紙口側の端部から用紙排出方向へ下降傾斜しつつ延出される用紙端受け部と、
その用紙端受け部に開口形成され、その用紙保持部材の下方へ向けて用紙を挿入可能に形成された手差し給紙口と、
前記用紙端受け部の下方に設けられ、前記手差し給紙口から前記給紙口へと連通する連通空間とを備えていることを特徴とする給紙装置。
【請求項６】
用紙が設置される給紙口と、その給紙口に設置された用紙を搬送する搬送装置と、その搬送装置により搬送された用紙を排出するため、前記給紙口より上方に設けられる排紙口と、その排紙口から排出された用紙を保持するため、その排紙口から用紙排出方向へ延出される用紙保持部材とを備えた給紙装置において、
前記用紙保持部材における前記排紙口側部分に設けられ用紙の端部を受ける用紙端受け部と、
その用紙端受け部における前記排紙口側の端部に立設され、前記用紙保持部材の上方であって前記排紙口側の空間と、前記用紙保持部材の下方であって前記給紙口側の空間とを仕切る仕切部材と、
前記用紙端受け部に開口形成され、その用紙端受け部の下方へ向けて用紙を挿入可能に形成された手差し給紙口と、
その手差し給紙口の形成された前記用紙端受け部の下方に設けられ、前記手差し給紙口から前記給紙口へと連通する連通空間とを備えていることを特徴とする給紙装置。
【請求項７】
前記用紙端受け部は、前記用紙保持部材における前記排紙口側から用紙排出方向へ略水平に延出されており、
前記用紙保持部材は、その用紙端受け部における前記排紙口側の反対側から用紙排出方向へ上昇傾斜しつつ更に延出される傾斜受け部を備えていることを特徴とする請求項６記載の給紙装置。
【請求項８】
前記用紙保持部材は、前記手差し給紙口への用紙の挿入を案内するため、その手差し給紙口における前記排紙口側の反対側の縁部から用紙挿入方向へ延出される案内部材を備えていることを特徴とする請求項１から７に記載の給紙装置。
【請求項９】
前記給紙口には、開放された上面を有して凹状に形成されるとともに２以上の用紙を収容可能に形成された給紙カセットが着脱可能に配設されており、
前記用紙保持部材は、その給紙カセットの開放された上面の一部を閉鎖するため、前記給紙カセットの上部に覆設可能に構成されていることを特徴とする請求項１から８のいずれかに記載の給紙装置。
【請求項１０】
前記給紙カセットの上部に覆設される前記用紙保持部材に設けられる検出片と、前記給紙カセットが前記給紙口に装着した場合に前記検出片が所定位置にあるか否かを検出すると共に、その検出片が検出された場合に前記搬送装置による用紙の搬送を開始可能とするスイッチ装置とを備えていることを特徴とする請求項９記載の給紙装置。
【請求項１１】
前記給紙カセットの上部に覆設される前記用紙保持部材に設けられる検出片と、前記給紙カセットが前記給紙口に装着した場合に前記検出片が所定位置にあるか否かを検出すると共に、その検出片が検出されない場合に前記搬送装置による用紙の搬送を開始させないスイッチ装置とを備えていることを特徴とする請求項９記載の給紙装置。
【発明の詳細な説明】
【０００１】
【発明の属する技術分野】
本発明は、排紙口から排出される用紙を保持する用紙保持部材により、手差し給紙される用紙を保持することができる給紙装置に関し、特に、排紙口から排出された用紙が誤って手差し給紙されることを防止することができる給紙装置に関するものである。
【０００２】
【従来の技術】
インクジェットプリンタやレーザプリンタなどのプリンタ（印刷装置）への給紙を行う給紙装置は、主に、複数枚の記録用紙を積層収容する給紙カセットと、その給紙カセットに収容された記録用紙を給紙口へ搬送する給紙ローラと、その給紙ローラにより搬送された記録用紙を排出する排紙口と、その排紙口から排出された記録用紙を保持する排紙トレイとを備えている。このような給紙装置を備えたプリンタによれば、給紙ローラによって、給紙カセットに収容された記録用紙が給紙口へ一枚毎に供給されて印刷が行われ、印刷済の記録用紙が排紙口から排紙トレイに排出されるのである。
【０００３】
ところで、給紙カセットは、複数枚の記録用紙を積層収容するために、その上面が開放されて凹状に形成されており、その開放された上面にはカセットカバーが覆設されている。このような給紙カセットに覆設されるカセットカバーには、種々のものが提案されており、例えば、単に、給紙カセット上面を塞ぐだけではなく、印刷済の記録用紙を保持する排紙トレイとして兼用したり、更には、手差し給紙を行う場合に未使用の記録用紙を保持する手差しトレイとして兼用することができるものがある。
【０００４】
かかるカセットカバーを使用して手差し給紙を行う場合には、カセットカバーの上面に未使用の記録用紙を載せ、その記録用紙を給紙ローラ（給紙口）側へ差し込むと、その記録用紙の先端側が給紙カセットに収容された記録用紙の最上層側と給紙ローラとの間に入り込み、手差し給紙用の記録用紙が給紙口に設置される。その後、給紙ローラが回転されると、手差し用の記録用紙が給紙口の下流側へ向けて搬送されるのである。
【０００５】
【発明が解決しようとする課題】
しかしながら、上述した給紙カセットのカセットカバーを排紙トレイ及び手差しトレイとして共用する給紙装置では、カセットカバーの上面が給紙口と繋がっているため、排紙口から排出された印刷済の記録用紙が誤って、給紙口側へ入り込み再給紙されてしまう。このように印刷済の記録用紙が誤って再給紙されると、印刷済の記録用紙における印刷面に他頁の画像が重ね印刷されたり、印刷済の記録用紙における非印刷面に他頁の画像が印刷されてしまうという問題点があった。
【０００６】
本発明は上述した問題点を解決するためになされたものであり、排紙口から排出される用紙を保持する用紙保持部材により、手差し給紙される用紙を保持することができるとともに、排紙口から用紙保持部材に排出された用紙が誤って手差し給紙されることを防止することができる給紙装置を提供することを目的としている。
【０００７】
【課題を解決するための手段】
この目的を達成するために請求項１記載の給紙装置は、用紙が設置される給紙口と、その給紙口に設置された用紙を搬送する搬送装置と、その搬送装置により搬送された用紙を排出するため、前記給紙口より上方に設けられる排紙口と、その排紙口から排出された用紙を保持するため、その排紙口から用紙排出方向へ延出される用紙保持部材とを備え、前記用紙保持部材の前記排紙口側部分に開口形成され、その用紙保持部材の下方へ向けて用紙を挿入可能に形成された手差し給紙口と、その手差し給紙口における前記排紙口側の縁部から下方に突設される突起部材と、その突起部材の下方に設けられ、前記手差し給紙口から前記給紙口へと連通する連通空間とを備えている。
【０００８】
この請求項１記載の給紙装置によれば、給紙口に設置された用紙は、搬送装置により給紙口から排紙口へ向けて搬送され、排紙口から用紙保持部材へ排出されて保持される。ここで、用紙保持部材に排出された用紙は、その排出方向後端が用紙保持部材の排紙口側部分によって保持される。用紙保持部材の排紙口側には、手差し給紙口が開口形成されるが、その手差し給紙口における排紙口側の縁部から下方へ突起部材が突設されるので、排出された用紙が手差し給紙口へ誤って挿入されても、その用紙端が突起部材と当接されるので、かかる用紙が手差し給紙口へ誤って入り込むことがない。よって、排紙口から用紙保持部材に排出された用紙が誤って手差し給紙されることが防止される。
【０００９】
一方、用紙保持部材を用いて手差し給紙を行う場合には、手差しする用紙の先端を手差し給紙口から突起部材の下方へ向けて差し込むことにより、用紙先端が突起部材に妨害されずに用紙保持部材の下方へ挿入される。挿入された用紙先端は、突起部材の下方に設けられた連通空間を通って、給紙口へ到達する。その後、給紙口に先端が到達した用紙は、搬送装置により給紙口から排紙口へ向けて搬送され、給紙口から用紙保持部材へ排出される。
【００１０】
請求項２記載の給紙装置は、請求項１記載の給紙装置において、前記用紙保持部材は、その用紙保持部材における前記排紙口側の端部から用紙排出方向へ下降傾斜しつつ延出される用紙端受け部を備えている。
【００１１】
請求項３記載の給紙装置は、請求項１または２に記載の給紙装置において、前記突起部材は、用紙排出方向へ下降傾斜するように突設されている。
【００１２】
請求項４記載の給紙装置は、請求項１から３のいずれかに記載の給紙装置において、前記突起部材は、前記用紙保持部材に一体的に形成されている。
【００１３】
請求項５記載の給紙装置は、用紙が設置される給紙口と、その給紙口に設置された用紙を搬送する搬送装置と、その搬送装置により搬送された用紙を排出するため、前記給紙口より上方に設けられる排紙口と、その排紙口から排出された用紙を保持するため、その排紙口から用紙排出方向へ延出される用紙保持部材とを備え、前記用紙保持部材の前記排紙口側の端部から用紙排出方向へ下降傾斜しつつ延出される用紙端受け部と、その用紙端受け部に開口形成され、その用紙保持部材の下方へ向けて用紙を挿入可能に形成された手差し給紙口と、前記用紙端受け部の下方に設けられ、前記手差し給紙口から前記給紙口へと連通する連通空間とを備えている。
【００１４】
この請求項５記載の給紙装置によれば、給紙口に設置された用紙は、搬送装置により給紙口から排紙口へ向けて搬送され、排紙口から用紙保持部材へ排出されて保持される。ここで、排出された用紙の排出方向後端は、用紙保持部材の用紙端受け部によって保持される。用紙端受け部には、手差し給紙口が開口形成されるが、この用紙端受け部は、用紙保持部材の排紙口側の端部から用紙排出方向へ下降傾斜しつつ延出されるので、排出された用紙の排出方向後端側を排紙口側へ向けて上昇傾斜させつつ保持することができる。よって、用紙の排出方向後端が手差し給紙口から用紙保持部材の下方へ向けて入り込むことを防止して、用紙保持部材に排出された用紙が誤って再給紙されることを防止することができるという効果がある。
【００１５】
一方、用紙保持部材を用いて手差し給紙を行う場合には、手差しする用紙の先端を手差し給紙口から突起部材の下方へ向けて差し込むことにより、用紙先端が突起部材に妨害されずに用紙保持部材の下方へ挿入される。挿入された用紙先端は、突起部材の下方に設けられた連通空間を通って、給紙口へ到達する。その後、給紙口に先端が到達した用紙は、搬送装置により給紙口から排紙口へ向けて搬送され、給紙口から用紙保持部材へ排出される。
【００１６】
請求項６記載の給紙装置は、用紙が設置される給紙口と、その給紙口に設置された用紙を搬送する搬送装置と、その搬送装置により搬送された用紙を排出するため、前記給紙口より上方に設けられる排紙口と、その排紙口から排出された用紙を保持するため、その排紙口から用紙排出方向へ延出される用紙保持部材とを備え、前記用紙保持部材における前記排紙口側部分に設けられ用紙の端部を受ける用紙端受け部と、その用紙端受け部における前記排紙口側の端部に立設され、前記用紙保持部材の上方であって前記排紙口側の空間と、前記用紙保持部材の下方であって前記給紙口側の空間とを仕切る仕切部材と、前記用紙端受け部に開口形成され、その用紙端受け部の下方へ向けて用紙を挿入可能に形成された手差し給紙口と、その手差し給紙口の形成された前記用紙端受け部の下方に設けられ、前記手差し給紙口から前記給紙口へと連通する連通空間とを備えている。
【００１７】
この請求項６記載の給紙装置によれば、給紙口に設置された用紙は、搬送装置により給紙口から排紙口へ向けて搬送され、排紙口から用紙保持部材へ排出されて保持される。ここで、用紙保持部材に排出された用紙は、その端部、即ち、用紙の排出方向後端部が用紙端受け部により受け止められる。よって、この用紙端受け部による用紙端部の受け止めにより、排紙口から排出された用紙が用紙端受け部に開口形成された手差し給紙口へ誤って入り込むことが防止される。
【００１８】
しかも、用紙保持部材の上方であって排紙口側の空間は、仕切部材によって、用紙保持部材の下方における給紙口側の空間と仕切られるので、用紙保持部材に排出された用紙が用紙部材から滑り落ちて給紙口へ入り込むことが防止される。
【００１９】
一方、用紙保持部材を用いて手差し給紙を行う場合には、手差しする用紙の先端を手差し給紙口から突起部材の下方へ向けて差し込むことにより、用紙先端が突起部材に妨害されずに用紙保持部材の下方へ挿入される。挿入された用紙先端は、突起部材の下方に設けられた連通空間を通って、給紙口へ到達する。その後、給紙口に先端が到達した用紙は、搬送装置により給紙口から排紙口へ向けて搬送され、給紙口から用紙保持部材へ排出される。
【００２０】
請求項７記載の給紙装置は、請求項６記載の給紙装置において、前記用紙端受け部は、前記用紙保持部材における前記排紙口側から用紙排出方向へ略水平に延出されており、前記用紙保持部材は、その用紙端受け部における前記排紙口側の反対側から用紙排出方向へ上昇傾斜しつつ更に延出される傾斜受け部を備えている。
【００２１】
請求項８記載の給紙装置は、請求項１から７のいずれかに記載の給紙装置において、前記用紙保持部材は、前記手差し給紙口への用紙の挿入を案内するため、その手差し給紙口における前記排紙口側の反対側の縁部から用紙挿入方向へ延出される案内部材を備えている。
【００２２】
請求項９記載の給紙装置は、請求項１から８のいずれかに記載の給紙装置において、前記給紙口には、開放された上面を有して凹状に形成されるとともに２以上の用紙を収容可能に形成された給紙カセットが着脱可能に配設されており、前記用紙保持部材は、その給紙カセットの開放された上面の一部を閉鎖するため、前記給紙カセットの上部に覆設可能に構成されている。
【００２３】
請求項１０記載の給紙装置は、請求項９記載の給紙装置において、前記給紙カセットの上部に覆設される前記用紙保持部材に設けられる検出片と、前記給紙カセットが前記給紙口に装着した場合に前記検出片が所定位置にあるか否かを検出すると共に、その検出片が検出された場合に前記搬送装置による用紙の搬送を開始可能とするスイッチ装置とを備えている。
【００２４】
この請求項１０記載の給紙装置によれば、請求項９記載の給紙装置と同様に作用する上、用紙保持部材が覆設された状態で給紙カセットが給紙口へ装着されると、かかる装着により用紙保持部材の検出片が所定位置に配置される。この検出片が所定位置にあることが所定スイッチ装置によって検出されると、スイッチ装置により搬送装置による用紙の搬送が開始可能になる。
【００２５】
請求項１１記載の給紙装置は、請求項９記載の給紙装置において、前記給紙カセットの上部に覆設される前記用紙保持部材に設けられる検出片と、前記給紙カセットが前記給紙口に装着した場合に前記検出片が所定位置にあるか否かを検出すると共に、その検出片が検出されない場合に前記搬送装置による用紙の搬送を開始させないスイッチ装置とを備えている。
【００２６】
この請求項１１記載の給紙装置によれば、請求項９記載の給紙装置と同様に作用する上、用紙保持部材が覆設されていない状態で給紙カセットが給紙口へ装着された場合や、給紙カセットと共に用紙保持部材が給紙口から取り外された場合には、スイッチ装置によって、搬送装置による用紙の搬送は開始されない。
【００２７】
【発明の実施の形態】
以下、本発明の好ましい実施例について、添付図面を参照して説明する。図１は、本発明の一実施例である給紙装置２を備えたプリンタ（画像形成装置）１の内部構造を示した側断面図である。尚、図１中の矢印Ａは、給紙カセット４の挿嵌（挿入）方向を示し、矢印Ｘ１は、後述する給紙口２ａへ向けて搬送される記録用紙Ｐの搬送方向（給紙方向）を示し、矢印Ｘ２は、カセットカバー５へ排出（排紙）される記録用紙Ｐの排出方向を示し、矢印Ｘ３は、カセットカバー５により手差し給紙される記録用紙Ｐの挿入方向を示している。以下、弾性フィルム材５ｈを太線状の２点鎖線で図示し、記録用紙Ｐの一部を細線状の２点鎖線で図示する。
【００２８】
プリンタ１は、いわゆるインクジェットプリンタであり、主に、記録用紙Ｐを一枚毎に給紙する給紙装置２と、その給紙装置２により給紙される記録用紙Ｐに画像の印刷（記録）を行う記録装置３とを備えている。また、プリンタ１は、これらの給紙装置２及び記録装置３を合成樹脂等で箱状体に形成された本体ケース１ａに収容している。
【００２９】
給紙装置２は、後述する給紙カセット４に積層収容された複数枚の記録用紙Ｐを一枚毎に搬送する自動給紙機能と、後述するカセットカバー５の手差し給紙口５ｄから挿入された記録用紙Ｐを搬送する手差し給紙機能とを兼ね備えた装置であり、未使用の記録用紙Ｐが供給される給紙口２ａと、その給紙口２ａから供給された記録用紙Ｐを本体ケース１ａ外へ排出する排紙口２ｂとを備えている。給紙装置２の給紙口２ａの上流側（図１右側）には、未使用の複数枚の記録用紙Ｐを積層状態で収納可能な給紙カセット４が配設されており、この給紙カセット４は本体ケース１ａの下部に設けられたカセット装着部１ｂに着脱可能に挿嵌されている。
【００３０】
給紙カセット４は、開放された上面（以下、単に「開放面」と称す。）を有した凹状の浅い箱形状体に形成されており、その開放面における給紙口２ａ側の反対側部分（図１右側）にはカセットカバー５が着脱可能に覆設されている。このため、給紙カセット４は、給紙口２ａ側と反対側（図１右側）の開放面がカセットカバー５の覆設により閉鎖される覆設部分４ａと、給紙口２ａ側（図１左側）の開放面が開放されたままの状態とされる非覆設部分４ｂとを備えている。
【００３１】
給紙カセット４の内部下側には、略平板状の底板４ｃが設けられ、その底板４ｃの上方には略平板状の圧板６が給紙カセット４の長手方向（図１左右方向）へ向けて内設されている。この圧板６は、給紙カセット４に積層収容される複数枚の記録用紙Ｐを下方から支持するためのものであり、その長手方向一端側（図１右側）に支軸６ａが設けられている。この支軸６ａは給紙カセット４に回転可能に軸支されており、かかる支軸６ａを揺動中心として圧板６が上下方向へ揺動可能に支持されている。
【００３２】
圧板６における支軸６ａ側の反対側（図１左側）には圧板押動装置７が配設されている。圧板押動装置７は、圧板６を上方へ向けて押動する押動プレート７ａを備え、この押動プレート７ａの先端（図１右側）が圧板６の下面と当接されている。この圧板押動装置７によれば、押動プレート７ａにより圧板６を上方へ押動することができる。かかる押動プレート７ａの押動により、圧板６が支軸６ａを揺動中心として上方へ揺動され、圧板６により支持される記録用紙Ｐが給紙ローラ８の下面と密着する方向へ押圧されるのである。
【００３３】
給紙ローラ８は、給紙カセット４の非覆設部分４ｂの上方に配設されており、かかる給紙ローラ８の下面が給紙カセット４に積層収容される記録用紙Ｐの上面と対向するように配設されている。この給紙ローラ８は、記録用紙Ｐを給紙するためのローラ部材であり、本体ケース１ａに時計方向へ回動（回転）可能に支持されている。給紙ローラ８の下方には、その給紙ローラ８と共働して複数枚の記録用紙Ｐを一枚毎に分離するため、ウレタン等の表面摩擦係数が大きな合成樹脂等で形成された分離パッド９が配設されている。よって、給紙カセット４内の記録用紙Ｐは、給紙ローラ８の回転に伴って、その給紙ローラ８および分離パッド９により、最上側に積層された記録用紙Ｐから順に一枚毎に分離されて送り出される。尚、記録用紙Ｐを記録装置３へ給紙する給紙口２ａは、給紙ローラ８および分離パッド９により構成されている。
【００３４】
また、給紙ローラ８には、本体ケース１ａに回転可能に支持された一対の従動ローラ１０，１０が当接されており、これらの給紙ローラ８及び一対の従動ローラ１０，１０の共働により記録用紙Ｐが挟持されて搬送されるのである。この給紙ローラ８及び一対の従動ローラ１０，１０による記録用紙Ｐの搬送方向は、給紙ローラ８より上流側の搬送方向（図１の矢印Ｘ１）に対して、給紙ローラ８より下流側の搬送方向（図１の矢印Ｘ２）が逆方向とされている。
【００３５】
即ち、プリンタ１は、給紙ローラ８及び一対の従動ローラ１０，１０により記録用紙Ｐの搬送路が略Ｕ字状に湾曲されており、この搬送路を通過することによって、印刷済の記録用紙Ｐが未使用の記録用紙Ｐを収容する給紙カセット４の上面に覆設されるカセットカバー５の上面へ排出されるように構成されている。このように構成することにより、プリンタ１の装置サイズをコンパクト化することができるのである。
【００３６】
給紙ローラ８の下流側には、その給紙ローラ８により搬送された記録用紙Ｐを後述する印字ヘッド１３へ案内搬送するＬＦローラ１１が配設されている。このＬＦローラ１１は、給紙ローラ８と同様に、本体ケース１ａに時計方向へ回動可能に支持されている。このＬＦローラ１１の上方には、そのＬＦローラ１１へ向けて記録用紙Ｐを押圧する押さえローラ１２が配設されており、押さえローラ１２及びＬＦローラ１１の共働により記録用紙Ｐが記録装置３へ案内搬送される。
【００３７】
記録装置３は、記録用紙Ｐへインクを吐出して印刷（記録）を行う印字ヘッド１３を備えている。この印字ヘッド１３は、その下部に記録用紙Ｐへインクの吐出を行うためのノズル１３ａが形成されており、上述したＬＦローラ１１及び押さえローラ１２の下流側に配設されている。また、印字ヘッド１３のノズル１３ａの下方には、記録用紙Ｐを支持する平板状のプラテン１４が配設されている。プラテン１４の上方には、印字ヘッド１３を搭載するキャリッジ１５が配設されており、このキャリッジ１５は、記録用紙Ｐの用紙幅方向（図１の紙面に対する略垂直方向）へ移動可能に構成されている。キャリッジ１５には、また、印字ヘッド１３の他に、その印字ヘッド１３へ供給されるインクを蓄えるためのインクタンク１６が設けられている。
【００３８】
印字ヘッド１３及びプラテン１４の下流側には、プラテン１４から排出された記録用紙Ｐを本体ケース１ａ外へ排出するための排紙ローラ１８と、その排紙ローラ１８へ記録用紙Ｐを押圧するための押さえローラ１７とが設けられている。これらの排紙ローラ１８及び押さえローラ１７の下流側には、また、記録用紙Ｐを本体ケース１ａの外部へ排出する開口である排紙口２ｂが形成されており、この排紙口２ｂは給紙装置２における給紙口２ａより上方に形成されている。
【００３９】
排紙口２ｂの下流側には、給紙カセット４の覆設部分４ａに覆設されたカセットカバー５が配設されている。このカセットカバー５は、印刷済の記録用紙Ｐが排出された場合に、かかる記録用紙Ｐを保持する部材（いわゆる排紙トレイ）として使用されると共に、未使用の記録用紙Ｐを手差し給紙する場合に、かかる記録用紙Ｐを保持する部材（いわゆる手差しトレイ）として使用される。カセットカバー５は、排紙口２ｂの下方から記録用紙Ｐの排出方向（図１の矢印Ｘ２方向）へ向けて延出するように給紙カセット４に覆設されている。このため、排紙口２ｂから排出された印刷済の記録用紙Ｐは、かかるカセットカバー５の上面に排出され積層状態で載置されるのである。
【００４０】
次に、図２及び図３を参照して、給紙カセット４とカセットカバー５との詳細について説明する。図２は、図１の部分的な拡大側断面図である。尚、図２中の矢印Ｘ１は、給紙口２ａへ向けて搬送される記録用紙Ｐの搬送方向を示し、矢印Ｘ２は、カセットカバー５へ排出される記録用紙Ｐの排出方向を示し、矢印Ｘ３は、カセットカバー５により手差し給紙される記録用紙Ｐの挿入方向を示している。
【００４１】
図２（又は、図１）に示すように、カセットカバー５は、給紙カセット４の覆設部分４ａ側の開放面に覆設されている。このカセットカバー５は、排紙口２ｂから排出された記録用紙Ｐの排出方向（図２の矢印Ｘ２方向）後端側（図２左側）を受け止めて保持する略平板状の用紙端受け部５ａと、その排出された記録用紙Ｐの排出方向前端側が載置される略平板状の用紙載置部５ｂとを備えている。
【００４２】
用紙端受け部５ａは、排紙口２ｂの下方から記録用紙Ｐの排出方向（図２の矢印Ｘ２方向）へ向けて下降傾斜しつつ延出されており、一方、用紙載置部５ｂは、用紙端受け部５ａの下端部、即ち、排紙口２ｂ側の反対側の端部（図２右側）から記録用紙Ｐの排出方向（図２の矢印Ｘ２方向）へ略水平に延出されている。よって、排紙口２ｂから排出された記録用紙Ｐを保持するカセットカバー５は、用紙載置部５ｂに載置される記録用紙Ｐの排出方向前端側（図２右側）に対して、用紙端受け部５ａにより保持される記録用紙Ｐの排出方向後端側（図２左側）を排紙口２ｂ側へ向けて上昇傾斜させつつ保持することができる。
【００４３】
用紙端受け部５ａの下方、即ち、用紙端受け部５ａの下面と給紙カセット４に積層収容された記録用紙Ｐの上面との間には、上述した給紙口２ａと連通する連通空間２ｃが設けられている。この連通空間２ｃは、カセットカバー５により手差し給紙される記録用紙Ｐを給紙口２ａへ導き入れるための空間であり、記録用紙Ｐが通過可能に形成されている。
【００４４】
また、連通空間２ｃの上方であって、用紙端受け部５ａの上端部、即ち、排紙口２ｂ側の端部（図２左側）には、略平板状の仕切部材５ｃが上方へ向けて立設されている。この仕切部材５ｃは、排紙口２ｂから排出された記録用紙Ｐが用紙端受け部５ａの排紙口２ｂ側の端部から連通空間２ｃへ入り込むことを防止するためのものであり、その連通空間２ｃと用紙端受け部５ａ（カセットカバー５）の上面側の空間とを仕切るように設けられている。
【００４５】
このため、排紙口２ｂから排出された記録用紙Ｐが、用紙端受け部５ａの上端部から連通空間２ｃへ滑り落ちて入り込むことを防止することができる。よって、印刷済の記録用紙Ｐが連通空間２ｃへ入り込んで、給紙口２ａから再給紙されることを防止することができるのである。更に、カセットカバー５は、用紙端受け部５ａによって、記録用紙Ｐの排出方向後端側（図２左側）を排紙口２ｂへ向けて上昇傾斜させつつ保持するので、排紙口２ｂから排出された記録用紙Ｐが仕切部材５ｃを乗り越えて、連通空間２ｃへ入り込むことを防止することができるのである。
【００４６】
用紙端受け部５ａにおける傾斜方向の略中央部分には、その傾斜方向との略直交方向（図２の紙面に対する略垂直方向）に幅広に開口形成された手差し給紙口５ｄが形成されている。この手差し給紙口５ｄは、カセットカバー５を用いて手差し給紙を行う場合に、未使用の記録用紙Ｐを挿入するための開口であり、記録用紙Ｐを挿入可能に形成されている。また、この手差し給紙口５ｄは、用紙端受け部５ａ（カセットカバー５）の上面側の空間と上述した連通空間２ｃとを連通させている。よって、用紙端受け部５ａの上面側から手差し給紙口５ｄへと挿入された記録用紙Ｐは、用紙端受け部５ａの下方の連通空間２ｃへ入り込んで、その連通空間２ｃを通過して給紙口２ａへ差し込まれるのである。
【００４７】
一方、手差し給紙口５ｄは、用紙端受け部５ａにより保持される記録用紙Ｐの排出方向（図２の矢印Ｘ２方向）後端（図２左側）の位置と比べて、用紙端受け部５ａの傾斜方向下側の位置に形成されるので、排紙口２ｂから排出された記録用紙Ｐの排出方向後端が手差し給紙口５ｄへ誤って入り込むことを防止することができる。しかも、用紙端受け部５ａは、排紙口２ｂから排出された記録用紙Ｐの排出方向後端側（図２左側）を排紙口２ｂ側へ上昇傾斜させつつ保持するので、手差し給紙口５ｄへ入り込み難くすることができる。
【００４８】
手差し給紙口５ｄにおける仕切部材５ｃ側の開口縁、即ち、排紙口２ｂ側の開口縁（図２左側）には、その開口縁から下方へ向けて立設された突起部材５ｅが一体的に連設されており、この突起部材５ｅの下端は、用紙端受け部５ａの下面より下方に位置されている。この突起部材５ｅによれば、排紙口２ｂから排出された記録用紙Ｐにおける排出方向（図２の矢印Ｘ２方向）後端が手差し給紙口５ｄへ誤って入り込むことを防止することができる。即ち、カセットカバー５へ排出された記録用紙Ｐが手差し給紙口５ｄへ入り込むような場合には、記録用紙Ｐの排出方向後端が突起部材５ｅに突き当たり当接するので、この当接により印刷済の記録用紙Ｐが手差し給紙口５ｄへ入り込むことを防止することができるのである。
【００４９】
一方、手差し給紙口５ｄにおける仕切部材５ｃ側の反対側の開口縁、即ち、排紙口２ｂ側の反対側の開口縁（図２右側）には、その開口縁から突起部材５ｅの下方へ向けて下降傾斜しつつ延出される案内板５ｆが設けられている。よって、案内板５ｆは、未使用の記録用紙Ｐを手差し給紙口５ｄへ挿入する場合、即ち、手差し給紙する場合に、手差し給紙口５へ挿入される記録用紙Ｐの先端を連通空間２ｃへ向けて案内することができる。また、案内板５ｆの先端（図２左側）と突起部材５ｅの下端との間には、記録用紙Ｐの用紙厚さより幅広な間隙５ｇが形成されている。この間隙５ｇは手差し給紙口５ｄと連通空間２ｃとを繋ぐ開口であり、この間隙５ｇにより手差し給紙口５ｄへ挿入された記録用紙Ｐを連通空間２ｃへ挿入することができる。
【００５０】
案内板５ｆの下面には、可撓性を有するフィルムシート状の弾性フィルム材５ｈの一端側（図２右側）が取着され、この弾性フィルム５ｈは、その他端側（図２右側）が給紙ローラ８の下方へ向けて延出されている。よって、かかる弾性フィルム材５ｈにより手差し給紙口５ｄから連通空間２ｃへ挿入された記録用紙Ｐの下面を支持しつつ、給紙ローラ８の下方へ案内することができるのである。
【００５１】
図３は、給紙カセット４とカセットカバー５との外観斜視図であり、図中では、給紙カセット４内部に配設される圧板６の図示を省略している。尚、図３中の矢印Ａは、給紙カセット４の挿嵌方向（挿入方向）を示し、矢印Ｘ１は、給紙口２ａへ向けて搬送される記録用紙Ｐの搬送方向を示し、矢印Ｘ２は、カセットカバー５へ排出される記録用紙Ｐの排出方向を示し、矢印Ｘ３は、手差し給紙口５ｄへ挿入される記録用紙Ｐの挿入方向を示している。
【００５２】
給紙カセット４は、その底部に上述した略矩形平板状の底板４ｃを備え、その底板４ｃの周囲四辺には上方へ向けて側壁４ｄが立設されている。よって、給紙カセット４は、これらの底板４ｃ及び側壁４ｄにより、上面が開放された直方体に形成されると共に、その内部に複数枚の記録用紙Ｐを積層した状態で収容可能に形成されている。また、給紙カセット４の長手方向における一端側、即ち、給紙カセット４の挿嵌方向側に立設される側壁４ｄには、給紙カセット４の外部と連通する略矩形状の切欠４ｅが形成されている。この切欠４ｅは、上述した圧板押動装置７の押動プレート７ａを給紙カセット４内へ導入させるための開口であり、その押動プレート７ａが挿入可能に形成されている。よって、この切欠４ｅを介して、押動プレート７ａの先端を給紙カセット４内の圧板６下面に当接させることができるのである。
【００５３】
カセットカバー５は、上述した用紙端受け部５ａと用紙載置部５ｂとを備え、用紙端受け部５ａの両側には、記録用紙Ｐの排出方向（図３の矢印Ｘ２方向）と平行に一対の平板状のガイド板５ｉ，５ｉが立設されている。この一対のガイド板５ｉ，５ｉは、用紙端受け部５ａの両側から用紙載置部５ｂの両側に跨って立設されており、この一対のガイド板５ｉ，５ｉによって、カセットカバー５へ排出される記録用紙Ｐの両側や、手差し給紙される未使用の記録用紙Ｐの両側を案内することができるのである。
【００５４】
また、上述した仕切部材５ｃは、用紙端受け部５ａの上端部から用紙端受け部５ａの幅方向全域に亘って立設されており、手差し給紙口５ｄは、用紙端受け部５ａの幅方向へ向けて幅広に形成されている。この手差し給紙口５ｄの長手方向における開口幅は、用紙端受け部５ａの幅長より若干小さく形成されており、上述した突起部材５ｅおよび案内板５ｆは、手差し給紙口５ｄの長手方向全域に亘って設けられている。
【００５５】
手差し給紙口５ｄの長手方向両側には、手差しガイド板５ｊがそれぞれ設けられており、この手差しガイド板５ｊにより手差し給紙口５ｄへ挿入される記録用紙Ｐの幅方向両側を案内することができるのである。更に、案内板５ｆの下面には、上述した弾性フィルム材５ｈの一端側が取着されており、その他端側は、給紙カセット４の切欠４ｅが形成された側壁４ｄの上端面に載上されている。また、カセットカバー５の仕切部材５ｃの長手方向一側には、給紙カセット４の挿嵌方向（図３の矢印Ａ方向）へ向けて突設（突出）された略平板上のスイッチ作動片５ｋが設けられている。
【００５６】
図４（ａ）は、図１のＩＶ−ＩＶ線におけるプリンタ１の平断面図であって、カセットカバー５が給紙カセット４と共にカセット装着部１ｂに挿嵌された状態を示した図であり、図４（ｂ）は、図１のＩＶ−ＩＶ線におけるプリンタ１の平断面図であって、給紙カセット４と共にカセットカバー５がカセット装着部１ｂから取り外された状態を示した図である。
【００５７】
なお、図４（ａ）及び（ｂ）はともに、本体ケース１ａ及びカセットカバー５を下面視した状態を示しており、図中の矢印Ａは、給紙カセット４の挿嵌方向を示している。
【００５８】
図４（ａ）に示すように、本体ケース１ａには、スイッチ作動片５ｋに対応して、検出スイッチ装置１９が配設されている。この検出スイッチ装置１９は、カセットカバー５を覆設した状態の給紙カセット４がカセット装着部１ｂへ挿嵌されたか否かを検出して、その検出結果に基づいて、上述した給紙装置２及び記録装置３（以下、「給紙装置２等」と称す。）の稼動（動作）を開始させるためのスイッチング動作を行う装置である。
【００５９】
検出スイッチ装置１９は、主に、本体ケース１ａに支軸１９ａ１を介して回転可能に取着される作動プレート１９ａと、その作動プレート１９ａの動作に応じて給紙カセット４及びカセットカバー５の挿嵌を検出するフォトセンサ１９ｂと、そのフォトセンサ１９ｂに対応して作動プレート１９に設けられ、フォトセンサ１９ｂが照射する光を遮蔽する遮蔽板１９ｃと、作動プレート１９ａを支軸１９ａ１回りに時計方向へ付勢する引張りつる巻きバネで構成された付勢部材１９ｄとを備えている。
【００６０】
作動プレート１９は、支軸１９ａ１を中心とした平面視略扇状に形成されている。この作動プレート１９の一側面は、カセットカバー５に設けられたスイッチ作動片５ｋと当接可能に形成されており、作動プレート１９の円弧面の縁部には付勢部材１９ｄの一端側が係止されている。この付勢部材１９ｄは、作動プレー他１９ａ側の端部から右方へ向けられ延出され、その他端側が本体ケース１ａに係止されている。このため、作動プレート１９ａは、付勢部材１９ｄによって、支軸１９ａ１を回転中心として時計方向へ向けて付勢されている。
【００６１】
作動プレート１９には、略平板状の遮蔽板１９ｃが立設されている。一方、フォトセンサ１９ｂは、例えば、光を照射する発光素子とその発光素子から照射された光を受光する受光素子とを備えたフォトカップラー等で構成されており、発光素子と受光素子間に通路１９ｂ１が設けられている。この通路１９ｂ１は、作動プレート１９が支軸１９ａ１を回転中心として回転する場合に、その回転に伴って遮蔽板１９ｃが移動する際の軌道上に設けられており、かかる遮蔽板１９ｃが緩挿可能にされている（図４（ｂ）参照）。
【００６２】
即ち、図４（ａ）に示すように、フォトセンサ１９ｂの通路１９ｂ１に遮蔽板１９ｃが緩挿されない場合には、発光素子から照射される光が受光素子により受光され、検出スイッチ装置１９がオン状態とされる。一方、図４（ｂ）に示すように、フォトセンサ１９ｂの通路１９ｂ１に遮蔽板１９ｃが緩挿される場合には、発光素子から照射される光が遮蔽板１９ｃにより遮られ、受光素子が発光素子からの光を受光できず、検出スイッチ装置１９がオフ状態とされるのである。
【００６３】
検出スイッチ装置１９によれば、図４（ａ）に示すように、カセットカバー５を覆設した状態で給紙カセット４がカセット装着部１ｂに挿嵌されると、カセットカバー５のスイッチ作動片５ｋが作動プレート１９ａと当接される。給紙カセット４の挿嵌を続行すると、作動プレート１９ａは、スイッチ作動片５ｋにより押圧されて、支軸１９ａ１を回転中心として反時計方向へ回転される。しかも、作動プレート１９ａの回転に伴って付勢部材１９ｄが伸長方向へ引っ張られてる。また、作動プレート１９ａの回転に伴って、遮蔽板１９ｃが反時計方向へ移動し、図４に示すようにフォトセンサ１９ｂの通路１９ｂ１から外れ、検出スイッチ装置１９がオン状態とされ、給紙装置２等の稼動が開始される。即ち、給紙ローラ８、ＬＦローラ１１及び排紙ローラ１８による記録用紙Ｐの搬送動作が開始されるのである。
【００６４】
一方、給紙カセット４がカセット装着部１ｂから抜き外されると、図４（ｂ）に示すように、給紙カセット４と共にカセットカバー５がカセット装着部１ｂから抜き外される。このカセットカバー５の抜き外しに伴って、スイッチ作動片５ｋによる押圧力が徐々に解除される。スイッチ作動片５ｋの押圧力の解除に伴い、付勢部材１９ｄがその収縮方向へ復元し、この復元力により作動プレート１９ａが付勢されて支軸１９ａ１を回転中心として回転される。この作動プレート１９ａの回転に伴って、遮蔽板１９ｃが時計方向へ移動されると、かかる遮蔽板１９ｃがフォトセンサ１９ｂの通路１９ｂ１に緩挿され、検出スイッチ装置１９がオフ状態とされる。検出スイッチ装置１９がオフ状態の場合には、給紙装置２等の稼動が開始されない。即ち、給紙ローラ８、ＬＦローラ１１及び排紙ローラ１８による記録用紙Ｐの搬送動作が開始されないのである。
【００６５】
このため、給紙カセット４がカセット装着部１ｂから抜き外された場合や、カセットカバー５が覆設されていない給紙カセット４をカセット装着部１ｂへ挿嵌した場合には、検出スイッチ装置１９によって、給紙装置２等の稼動が開始されないので、カセットカバー５の給紙カセット４への付け忘れを防止することができる。よって、かかるカセットカバー５の付け忘れにより、排紙口２ｂから排出される記録用紙Ｐが給紙カセット４へ直接排出されることを防止して、印刷済の記録用紙Ｐが再搬送されることを防止することができるのである。
【００６６】
次に、上記のように構成された給紙装置２を備えたプリンタ１の自動給紙について説明する。まず、図１に示すように、給紙カセット４の圧板６の上面に記録用紙Ｐが積層収容された後、給紙カセット４の開放面における覆設部分４ａ側にカセットカバー５が覆設される。カセットカバー５の覆設後、給紙カセット４がカセット装着部１ｂへ挿嵌されると、給紙カセット４に積層収容された記録用紙Ｐの端部（図１左側）が給紙ローラ８の下方に配置され、記録用紙Ｐの設置が完了する。一方、給紙カセット４のカセット装着部１ｂへの挿嵌に連動して、圧板押動装置７が作動され、押動プレート７ａにより圧板６が上方へ向けて押動される。この押動プレート７の押動に伴って、圧板６が支軸６ａを介して時計方向へ揺動され、圧板６に載置された複数枚の記録用紙Ｐが給紙ローラ８の下面に押圧される。
【００６７】
その後、給紙ローラ８が時計方向へ回転されると、かかる給紙ローラ８と分離パッド９とが共働して、給紙カセット４に積層収容された複数枚の記録用紙Ｐの最上層側の一枚が分離され、給紙ローラ８と一対の従動ローラ１０，１０との共働により搬送方向（図１の矢印Ｘ１方向）下流側へ搬送される。かかる給紙ローラ８及び従動ローラ１０，１０により搬送される記録用紙Ｐは、給紙ローラ８の上流側から下流側へ搬送される際に、その搬送方向が反転される。即ち、記録用紙Ｐは、給紙ローラ８の回転方向に沿って給紙口２ａから上方へ向けて搬送され、給紙ローラ８の上面側に到達すると、記録用紙Ｐの搬送方向（図１の矢印Ｘ２）は、給紙カセット４から記録用紙Ｐが送り出される際の搬送方向（図１の矢印Ｘ１方向）に対して逆方向とされるのである。
【００６８】
給紙ローラ８により搬送された記録用紙Ｐは、その後、ＬＦローラ１１及び押さえローラ１２の共働によりプラテン１４の上方へ搬送される。記録用紙Ｐがプラテン１４の上方へ搬送されると、かかる記録用紙Ｐは、そのプラテン１４により支持されつつ、記録装置３のキャリッジ１５に搭載された印字ヘッド１３の下方を通過する。この記録用紙Ｐが印字ヘッド１３の下方を通過する際に、印字ヘッド１３のノズル１３ａによって、インクタンク１６に蓄えられたインクが記録用紙Ｐへ吐出されて、印刷が行われる。その後、記録用紙Ｐは、排出ローラ１７及び押さえローラ１７の共働により排紙口２ｂへ搬送され、その排紙口２ｂからカセットカバー５の上面へ排出される。
【００６９】
カセットカバー５へ排出された記録用紙Ｐは、その排出方向後端側（図１左側）が用紙端受け部５ａにより受け止められて保持される一方、その排出方向前端側（図１右側）が用紙載置部５ｂにより受け止められて載置される。その後、給紙ローラ８の回転を続行させることにより、給紙カセット４に積層収容された複数枚の記録用紙Ｐを一枚毎に記録装置３へ供給して、印刷を行うことができるのである。この記録装置３により印刷された印刷済の記録用紙Ｐは、排紙口２ｂから排出され、カセットカバー５の上面に積層状態で載置されるのである。
【００７０】
次に、上記のように構成された給紙装置２を備えたプリンタ１の手差し給紙について説明する。手差し給紙を行う場合には、まず、未使用の記録用紙Ｐの先端がカセットカバー５の上方から手差し給紙口５ｄへ挿入される。手差し給紙口５ｄへ挿入される未使用の記録用紙Ｐは、その下面が案内板５ｆにより案内され、且つ、その用紙幅方向両側が一対の手差しガイド板５ｊにより案内される。記録用紙Ｐの挿入を更に続行すると、その先端が突起部材５ｅの下方へ潜り込み、間隙５ｇへ挿入される。間隙５ｇへの挿入後、記録用紙Ｐの先端下面は弾性フィルム材５ｈにより案内され、用紙端受け部５ａの下方に設けられた連通空間２ｃへ入り込む。
【００７１】
記録用紙Ｐの挿入を更に続行すると、記録用紙Ｐの先端は、弾性フィルム材５ｈにより案内され、給紙ローラ８の下面側へ到達して、手差し給紙される未使用の記録用紙Ｐの設置が完了する。記録用紙Ｐの設置後、圧板押動装置７が作動され、押動プレート７ａにより圧板６が上方へ向けて押動される。この押動プレート７の押動に伴って、圧板６が支軸６ａを介して時計方向へ揺動され、圧板６により記録用紙Ｐが給紙ローラ８の下面に押圧される。その後、給紙ローラ８が回転されることにより、上述した自動給紙動作と同様に、手差しされた記録用紙Ｐが搬送されて、記録装置３により印刷が行われるのである。
【００７２】
以上説明したように、本実施例の給紙装置２を備えたプリンタ１によれば、カセットカバー５の用紙端受け部５ａは、排紙口２ｂの下方から記録用紙Ｐの排出方向（図１の矢印Ｘ２方向）へ向けて下降傾斜しつつ延出されるので、カセットカバー５に排出された記録用紙Ｐの排出方向後端側を排紙口２ｂ側へ上昇傾斜させつつ保持して、その記録用紙Ｐの排出方向後端側が手差し給紙口５ｄへ入り込み難くすることができる。しかも、手差し給紙口５ｄは、用紙端受け部５ａにより保持される記録用紙Ｐの排出方向後端の位置と比べて、用紙端受け部５ａの傾斜方向下側の位置に形成されるので、排出された記録用紙Ｐの排出方向後端側が手差し給紙口５ｄへ更に入り込み難くすることができる。よって、排紙口２ｂからカセットカバー５へ排出された記録用紙Ｐが、手差し給紙口５ｄへ入り込んで誤って再給紙されることを防止することができる。従って、かかる誤った再給紙を防止することにより、印刷済の記録用紙Ｐに再印刷が行われることを防止することができるのである。
【００７３】
また、手差し給紙口５ｄにおける仕切部材５ｃ側の開口縁、即ち、排紙口２ｂ側の開口縁（図２左側）には、その開口縁から下方へ向けて立設された突起部材５ｅが連設されている。よって、例えば、手差し給紙口５ｄへ入り込もうとする記録用紙Ｐの排出方向後端は、突起部材５ｅに突き当たり当接されるので、この当接により印刷済の記録用紙Ｐが手差し給紙口５ｄへ入り込むことを防止して、カセットカバー５へ排出された印刷済の記録用紙Ｐが誤って再給紙されることを防止することができる。
【００７４】
更に、カセットカバー５の用紙端受け部５ａの上端部に立設される仕切部材５ｃは、給紙口２ａに連通する連通空間２ｃと用紙端受け部５ａ（カセットカバー５）の上面側の空間とを仕切るので、カセットカバー５へ排出された記録用紙Ｐが用紙端受け部５ａの排紙口２ｂ側の端部から連通空間２ｃへ入り込むことを防止することができる。よって、カセットカバー５へ排出された記録用紙Ｐが、カセットカバー５上面から滑り落ちて連通空間２ｃを通過して給紙口２ａへ入り込むことが防止されるので、カセットカバー５へ排出された印刷済の記録用紙Ｐが誤って再給紙されることを防止することができる。
【００７５】
しかも、カセットカバー５は、用紙端受け部５ａにより保持される記録用紙Ｐの排出方向後端側（図１左側）を排紙口２ｂ側へ向けて上昇傾斜させつつ保持するので、排紙口２ｂから排出された記録用紙Ｐが仕切部材５ｃを乗り越えて、連通空間２ｃへ入り込むことを防止することができるのである。
【００７６】
一方、手差し給紙口５ｄにおける仕切部材５ｃ側の反対側の開口縁、即ち、排紙口２ｂ側の反対側の開口縁（図２右側）には、その開口縁から突起部材５ｅ下方へ向けて下降傾斜しつつ延出される案内板５ｆが設けられている。よって、案内板５ｆは、未使用の記録用紙Ｐを手差し給紙口５ｄへ挿入する場合、即ち、手差し給紙する場合に、手差し給紙口５へ挿入される記録用紙Ｐの先端を連通空間２ｃへ向けて案内することができる。また、手差し給紙口５ｄの長手方向両側には、手差しガイド板５ｊがそれぞれ設けられるので、この一対の手差しガイド板５ｊにより手差し給紙口５ｄへ挿入される記録用紙Ｐの幅方向両側を案内することができる。
【００７７】
次に、図５から図１１を参照して、上記した第１実施例の変形例について説明する。尚、図５から図１１では、上述した弾性フィルム材５ｈの図示を省略している。
【００７８】
図５は、第２実施例のプリンタ２０の内部構造を示した拡大側断面図である。第２実施例のプリンタ２０は、第１実施例のカセットカバー５における用紙端受け部５ａに代えて、カセットカバーに略水平な用紙端受け部を設けたものである。以下、第１実施例と同一の部分には同一の符号を付してその説明を省略し、異なる部分のみを説明する。
【００７９】
カセットカバー２１は、排紙口２ｂから排出された記録用紙Ｐの排出方向（図５の矢印Ｘ２方向）後端側（図５左側）を受け止め保持する略平板状の用紙端受け部２１ａを備えている。用紙端受け部２１ａは、排紙口２ｂの下方から記録用紙Ｐの排出方向へ向けて略水平に延出され、その上面位置が用紙載置部５ｂの上面位置と略面一状とされている。このようにプリンタ２０のカセットカバー２１では、用紙端受け部２１ａが略水平とされるので、その分、かかる用紙受け部２１ａの上面から本体ケース１ａの下面１ａ１までの高さｈ１を大きくして、より多くの記録用紙Ｐをカセットカバー２１に積層状態で載置することができるのである。
【００８０】
図６は、第３実施例のプリンタ３０の内部構造を示した拡大側断面図である。第３実施例のプリンタ３０は、第２実施例のカセットカバー３１における突起部材５ｅに代えて、手差し給紙口５ｄへ入り込もうとする記録用紙Ｐを上方へ向けて案内することができる突起部材を設けたものである。以下、第１及び第２実施例と同一の部分には同一の符号を付してその説明を省略し、異なる部分のみを説明する。
【００８１】
カセットカバー３１は、手差し給紙口５ｄにおける排紙口２ｂ側の開口縁（図６左側）から記録用紙Ｐの排出方向（図６の矢印Ｘ２方向）へ向けて下降傾斜されつつ立設された突起部材３１ａが一体的に連設されており、この突起部材３１ａの下端は、用紙端受け部２１ａの下面より下方に位置されている。このようにプリンタ３０のカセットカバー３１では、突起部材３１ａが記録用紙Ｐの排出方向（図６の矢印Ｘ２方向）へ向けて下降傾斜されるので、手差し給紙口５ｄへ入り込もうとする記録用紙Ｐの排出方向後端が突起部材３１ａに突き当たり当接された場合に、その記録用紙Ｐの後端を突起部材３１ａの傾斜に沿って、手差し給紙口５ｄの上方へ向けて案内することができる。よって、この突起部材３１ａによる記録用紙Ｐの後端の案内により、かかる記録用紙Ｐの手差し給紙口５ｄへの入り込みを更に防止することができる。
【００８２】
図７は、第４実施例のプリンタ４０の内部構造を示した拡大側断面図である。第４実施例のプリンタ４０は、第１実施例のカセットカバー５の傾斜受け部５ａに代えて、カセットカバーに略水平な用紙端受け部を設けたものである。以下、第１実施例と同一の部分には同一の符号を付して、その説明を省略し異なる部分のみを説明する。
【００８３】
カセットカバー４１は、排紙口２ｂから排出された記録用紙Ｐの排出方向（図７の矢印Ｘ２方向）後端側（図７左側）を受け止め保持する略平板状の用紙端受け部４１ａを備えている。用紙端受け部４１ａは、排紙口２ｂの下方から記録用紙Ｐの排出方向へ向けて略水平に延出され、その上面位置が用紙載置部５ｂの上面位置より若干高くされている。即ち、用紙端受け部４１ａの上面と用紙載置部５ｂの上面との間には段差が設けられている。
【００８４】
用紙端受け部４１ａと用紙載置部５ｂとの境界部分には、記録用紙Ｐの排出方向との略直交方向（図７の紙面に対する略垂直方向）に幅広な手差し給紙口４１ｂが開口形成されている。この手差し給紙口４１ｂは、カセットカバー４１を用いて手差し給紙を行う場合に、未使用の記録用紙Ｐを挿入するための開口であり、記録用紙Ｐを挿入可能に形成されると共に、用紙端受け部４１ａ（カセットカバー４１）の上面側と連通空間２ｃとを連通させている。
【００８５】
手差し給紙口４１ｂにおける排紙口２ｂ側の開口縁（図７左側）には、その開口縁から下方へ向けて立設された突起部材４１ｃが一体的に連設されており、この突起部材４１ｃの下端は、用紙端受け部４１ａの下面より下方に突設され、用紙載置部５ｂの下面と略面一に位置されている。
【００８６】
この第４実施例のプリンタ４０によれば、カセットカバー４１の用紙端受け部４１ａは、その上面位置が用紙載置部５ｂの上面位置より若干高くされるので、排出された記録用紙Ｐの排出方向後端側を上方に持ち上げつつ保持して、手差し給紙口４１ｂへ入り込み難くすることができる。しかも、かかる手差し給紙口４１ｂには、その排紙口２ｂ側の開口縁（図７左側）に突起部材４１ｃが下方へ向けて立設されるので、排紙口２ｂから排出された記録用紙Ｐの排出方向後端が手差し給紙口４１ｂへ入り込もうとする場合に、かかる記録用紙Ｐの排出方向後端を突起部材４１ｃに突き当て当接させることができる。よって、印刷済の記録用紙Ｐが手差し給紙口４１ｂへ誤って入り込むことを防止することができる。
【００８７】
図８は、第５実施例のプリンタ５０の内部構造を示した拡大側断面図である。第５実施例のプリンタ５０は、第４実施例のカセットカバー４１に代えて、カセットカバーにおける用紙端受け部と用紙載置部との段差をなくし、両受け部を略面一としたものである。以下、第１及び第４実施例と同一の部分には同一の符号を付してその説明を省略し、異なる部分のみを説明する。
【００８８】
図８に示すように、カセットカバー５１は、用紙端受け部５１ａの上面位置と用紙載置部５ｂの上面位置とが略面一状にされており、用紙端受け部５１ａと用紙載置部５ｂとの境界部分には、手差し給紙口５１ｂが開口形成されている。手差し給紙口５１ｃの排紙口２ｂ側の開口縁（図８左側）には、その開口縁から下方へ向けて立設された突起部材５１ｃが一体的に連設されており、この突起部材５１ｃの下端は、用紙端受け部５１ａ及び用紙載置部５ｂの下面位置より下方へ更に位置されている。
【００８９】
このようにプリンタ５０では、手差し給紙口５１ｂにおける排紙口２ｂ側の開口縁（図８左側）に突起部材５１ｃが下方へ向けて立設され、且つ、かかる突起部材５１ｃの下端は用紙端受け部５１ａ及び用紙載置部５ｂの下面位置より下方へ更に位置されるので、排紙口２ｂから排出された記録用紙Ｐの排出方向後端が手差し給紙口５１ｂへ入り込もうとする場合に、かかる記録用紙Ｐの排出方向後端を突起部材５１ｃに突き当て当接させることができる。よって、印刷済の記録用紙Ｐが手差し給紙口５１ｂへ誤って入り込むことを防止することができる。
【００９０】
図９は、第６実施例のプリンタ６０の内部構造を示した拡大側断面図である。第６実施例のプリンタ６０は、第１実施例のカセットカバー５における傾斜受け部５ａから突起部材５ｅ、案内板５ｆ及び手差しガイド板５ｊを取り去り、その構成を簡素化したものである。以下、第１実施例と同一の部分には同一の符号を付してその説明を省略し、異なる部分のみを説明する。
【００９１】
カセットカバー６１は、排紙口２ｂから排出された記録用紙Ｐの排出方向（図９の矢印Ｘ２方向）後端側（図９左側）を受け止め保持する略平板状の用紙端受け部６１ａを備えている。用紙端受け部６１ａは、排紙口２ｂの下方から記録用紙Ｐの排出方向へ向けて下降傾斜しつつ延出され、その傾斜方向の略中央部分には、その傾斜方向との略直交方向（図９の紙面に対する略垂直方向）に幅広に開口形成された手差し給紙口６１ｂが形成されている。
【００９２】
このように第６実施例のプリンタ６０によれば、手差し給紙口６１ｂは、用紙端受け部６１ａにより保持される記録用紙Ｐの排出方向後端の位置と比べて、用紙端受け部６１ａの傾斜方向下側の位置に形成されるので、排紙口２ｂから排出されカセットカバー５へ落下した記録用紙Ｐの排出方向後端が手差し給紙口６１ｂへ誤って入り込むことを防止することができる。しかも、用紙端受け部６１ａは、カセットカバー５に排出された記録用紙Ｐの排出方向後端側を排紙口２ｂ側へ上昇傾斜させつつ保持するので、排出された記録用紙Ｐの排出方向後端側が手差し給紙口６１ｂへ入り込み難くすることができる。
【００９３】
図１０は、第７実施例のプリンタ７０の内部構造を示した側断面図である。第７実施例のプリンタ７０は、第１実施例のカセットカバー５に代えて、略水平な用紙端受け部と傾斜した用紙載置部とをカセットカバーに設けたものである。以下、第１実施例と同一の部分には同一の符号を付してその説明を省略し、異なる部分のみを説明する。
【００９４】
カセットカバー７１は、排紙口２ｂから排出された記録用紙Ｐの排出方向（図１０の矢印Ｘ２方向）後端側（図１０左側）を受け止め保持する略平板状の用紙端受け部７１ａを備えている。用紙端受け部７１ａは、排紙口２ｂの下方から記録用紙Ｐの排出方向へ向けて略水平に延出され、その延出方向側の端部には記録用紙Ｐの排出方向（図１０の矢印Ｘ２方向）へ向けて上昇傾斜されつつ延出された略平板状の用紙載置部７１ｂが一体的に連設されている。即ち、用紙載置部７１ｂは、用紙端受け部７１ａに対して側面視略く字状に折り曲げられた状態で、用紙端受け部７１ａに連設されている。用紙端受け部７１ａには、その仕切部材５ｃの立設側端（図１０左側）と用紙載置部７１ｂの連設側端（図１０右側）との間部分に手差し給紙口７１ｃが開口形成されており、この手差し給紙口７１ｃは、記録用紙Ｐの排出方向との略直交方向（図１０の紙面に対する略垂直方向）に幅広に形成されている。
【００９５】
このように第７実施例のプリンタ７０によれば、手差し給紙口７１ｃは、用紙端受け部７１ａにおける仕切部材５ｃの立設側端（図１０左側）と用紙載置部７１ｂの連設側端（図１０右側）との間部分に形成されるので、用紙端受け部７１ａにおける仕切部材５ｃ側の上面（図１０左側上面）により、排出された記録用紙Ｐの排出方向後端（図１０左端側）を保持することができる。よって、排紙口２ｂから排出された記録用紙Ｐの排出方向後端が下方へ垂れ下がり、用紙端受け部７１ａの下方の連通空間２ｃへ入り込むことを防止することができる。
【００９６】
また、手差し給紙口７１ｃは、用紙端受け部７１ａにおける用紙載置部７１ｂ側の端部（図１０右側）から離れた位置に形成されるので、用紙載置部７１ｂに載置された記録用紙Ｐが滑り落ちて、手差し給紙口７１ｃへ入り込むことを防止することができる。しかも、用紙端受け部７１ａの排紙口２ｂ側の端部には仕切部材５ｃが立設されるので、カセットカバー７１へ排出された記録用紙Ｐが用紙載置部７１ｂから滑り落ちて、用紙端受け部７１ａの排紙口２ｂ側の端部を越えて連通空間２ｃへ入り込むことを防止することができる。即ち、仕切部材５ｃにより用紙載置部７１ｂから滑り落ちる記録用紙Ｐを堰き止めることができる。
【００９７】
更に、排紙口２ｂからカセットカバー７１へ排出された記録用紙Ｐは、用紙載置部７１ｂにより、その記録用紙Ｐの排出方向前端側（図１０右側）が上昇傾斜されつつ保持されるので、カセットカバー７１から排出された記録用紙Ｐを取り上げる場合に、かかる記録用紙Ｐを容易に掴み上げることができる。
【００９８】
図１１は、第８実施例のプリンタ８０の内部構造を示した拡大側断面図である。第８実施例のプリンタ８０は、第１実施例のカセットカバー５に代えて、カセットカバーの用紙端受け部を略水平にすると共に、仕切部材を本体ケースに設けたものである。以下、第１実施例と同一の部分には同一の符号を付してその説明を省略し、異なる部分のみを説明する。
【００９９】
カセットカバー８１は、排紙口２ｂから排出された記録用紙Ｐの排出方向（図１１の矢印Ｘ２方向）後端側（図１１左側）を受け止め保持する略平板状の用紙端受け部８１ａを備え、この用紙端受け部８１ａは、排紙口２ｂの下方から記録用紙Ｐの排出方向へ向けて略水平に延出されている。用紙端受け部８１ａの端部（図１１左側）近傍には、本体ケース１ａから下方へ向けて立設された略平板状の仕切部材８２が設けられ、この仕切部材８２の下端は、用紙端受け部８１ａの下面と略面一にされている。また、用紙端受け部８１ａにおける仕切部材８２側の端部には、手差し給紙口８１ｂが開口形成されており、この手差し給紙口８１ｂは、記録用紙Ｐの排出方向との略直交方向（図１１の紙面に対する略垂直方向）に幅広に形成されている。
【０１００】
このように第８実施例のプリンタ８０では、本体ケース１ａから手差し給紙口８１ｂへ向けて仕切部材８２が立設されるので、手差し給紙口８１ｂへ入り込もうとする記録用紙Ｐの排出方向後端（図１１左側）は、仕切部材８２に突き当たり当接されるので、この当接により印刷済の記録用紙Ｐの手差し給紙口８１ｂへの入り込みを防止することができる。
【０１０１】
また、仕切部材８２は、給紙口２ａに連通する連通空間２ｃと用紙端受け部５ａ（カセットカバー５）の上面側の空間とを仕切るので、カセットカバー８１へ排出された記録用紙Ｐが用紙端受け部８１ａの排紙口２ｂ側の端部から連通空間２ｃへ入り込むことを防止することができる。即ち、カセットカバー８１へ排出された記録用紙Ｐが、カセットカバー８１上面から滑り落ちて連通空間２ｃへ入り込み、更に給紙口２ａへ向けて入り込むことを防止することができる。
【０１０２】
以上、実施例に基づき本発明を説明したが、本発明は上記実施例に何ら限定されるものではなく、本発明の趣旨を逸脱しない範囲内で種々の改良変形が可能であることは容易に推察できるものである。
【０１０３】
本実施例では、給紙装置２を画像形成装置であるプリンタ１に適用したが、例えば、本発明を画像読取装置に搭載される原稿搬送装置に適用しても良い。
【０１０４】
また、本実施例では、作動プレート１９ａに設けられる遮蔽板によりフォトセンサ１９ｂの通路１９ｂ１の遮蔽を行ったが、例えば、カセットカバーに突設されるスイッチ作動片で直接フォトセンサの通路の遮蔽を行っても良い。
【０１０５】
【発明の効果】
請求項１記載の給紙装置によれば、用紙保持部材の排紙口側には、手差し給紙口が開口形成されるが、その手差し給紙口における排紙口側の縁部から下方へ突起部材が突設されている。よって、排出された用紙が手差し給紙口へ誤って入り込もうとしても、その用紙端が突起部材と当接されるので、かかる用紙が手差し給紙口へ入り込むことがない。従って、用紙保持部材に排出された用紙が誤って再給紙されることを防止することができるという効果がある。かかる誤った再給紙を防止することによって、搬送装置により一度搬送されて所定の処理が行われた用紙、例えば、印刷や画像読み取りが行われた用紙が搬送装置により誤って再搬送されることを防止することができるという効果がある。
【０１０６】
請求項２記載の給紙装置によれば、請求項１記載の給紙装置の奏する効果に加え、更に、用紙保持部材の用紙端受け部によって、排紙口から用紙保持部材に排出された用紙の排出方向後端側が保持される。ここで、用紙端受け部は、その用紙保持部材における排紙口側の端部から用紙排出方向へ下降傾斜しつつ延出されるので、排出された用紙の排出方向後端側を排紙口側へ向けて上昇傾斜させつつ保持することができる。よって、用紙の排出方向後端が手差し給紙口から用紙保持部材の下方へ向けて入り込むことを防止して、用紙保持部材に排出された用紙が誤って再給紙されることを防止することができるという効果がある。
【０１０７】
請求項３記載の給紙装置は、請求項１または２に記載の給紙装置において、手差し給紙口の縁部から突設される突起部材は、用紙排出方向へ向けて下降傾斜するように突設される。即ち、突起部材は、手差し給紙口への用紙の挿入方向へ向けて上昇傾斜するように突設される。よって、手差し給紙口へ入り込もうとする用紙は、その先端が突起部材と当接すると、その突起部材の傾斜に沿って手差し給紙口の上方へ向けて案内されるのである。このため、排紙口から排出された用紙の排出方向後端が手差し給紙口から用紙保持部材の下方へ向けて入り込むことを防止して、用紙保持部材に排出された用紙が誤って再給紙されることを防止することができるという効果がある。
【０１０８】
請求項４記載の給紙装置は、請求項１から３のいずれかに記載の給紙装置の奏する効果に加え、突起部材は用紙保持部材に一体的に形成されるので、突起部材と用紙保持部材とを別個に形成する必要がない。よって、用紙保持部材と別個に突起部材を製造する工程と、突起部材を用紙保持部材に取り付ける工程とが不要となるので、その分、給紙装置全体としての製造コストを低減することができるという効果がある。
【０１０９】
請求項５記載の給紙装置によれば、用紙保持部材の用紙端受け部によって、排紙口から用紙保持部材に排出され用紙の排出方向後端側が保持される。ここで、用紙端受け部は、その用紙保持部材における排紙口側の端部から用紙排出方向へ下降傾斜しつつ延出されるので、排出された用紙の排出方向後端側を排紙口側へ向けて上昇傾斜させつつ保持することができる。よって、用紙の排出方向後端が手差し給紙口から用紙保持部材の下方へ向けて入り込むことを防止して、用紙保持部材に排出された用紙が誤って再給紙されることを防止することができるという効果がある。かかる誤った再給紙を防止することによって、搬送装置により一度搬送されて所定の処理が行われた用紙、例えば、印刷や画像読み取りが行われた用紙が搬送装置により誤って再搬送されることを防止することができるという効果がある。
【０１１０】
請求項６記載の給紙装置によれば、用紙保持部材に排出された用紙は、その端部、即ち、用紙の排出方向後端部が用紙端受け部により受け止められる。よって、この用紙端受け部による用紙端部の受け止めにより、排紙口から排出された用紙が用紙端受け部に開口形成された手差し給紙口へ誤って入り込むことを防止することができる。しかも、用紙保持部材の上方であって排紙口側の空間は、仕切部材によって、用紙保持部材の下方であって給紙口側の空間と仕切られるので、用紙保持部材に排出された用紙が用紙部材から滑り落ちて給紙口へ入り込むことを防止することができる。よって、用紙保持部材に排出された用紙が誤って再給紙されることを防止することができるという効果がある。かかる誤った再給紙を防止することによって、搬送装置により一度搬送されて所定の処理が行われた用紙、例えば、印刷や画像読み取りが行われた用紙が搬送装置により誤って再搬送されることを防止することができるという効果がある。
【０１１１】
請求項７記載の給紙装置によれば、請求項６記載の給紙装置の奏する効果に加え、更に、排紙口から用紙保持部材に排出された用紙は、用紙保持部材の傾斜受け部によって、その用紙の排出方向前端側が用紙排出方向へ向けて上昇傾斜されつつ保持されるので、用紙保持部材から用紙を取り上げる場合において、かかる用紙の排出方向前端側を容易に掴み上げることができるという効果がある。
【０１１２】
請求項８記載の給紙装置によれば、請求項１から７のいずれかに記載の給紙装置の奏する効果に加え、手差し給紙口の案内部材は、その排紙口側の反対側の縁部から用紙挿入方向へ延出されるので、用紙保持部材による手差し給紙を行う場合に、案内部材により手差し給紙口への用紙の挿入を案内して、手差し給紙口への用紙挿入を容易に行うことができるという効果がある。
【０１１３】
請求項９記載の給紙装置によれば、請求項１から８のいずれかに記載の給紙装置の奏する効果に加え、用紙保持部材は、２以上の用紙を収容可能に形成された給紙カセットの上部に覆設可能に構成されるので、給紙カセットの開放された上面を閉鎖するカバー体を別途設ける必要がない。よって、その分、給紙装置全体としての部品点数が低減するので、製造コストを低減するすることができるという効果がある。
【０１１４】
請求項１０または１１に記載の給紙装置によれば、請求項９記載の給紙装置の奏する効果に加え、スイッチ装置によりその位置が検出される検出片は用紙保持部材に設けられるので、給紙カセットに用紙保持部材が覆設されているか否かに基づいて、搬送装置による用紙の搬送を開始することができる。
【０１１５】
即ち、請求項１０記載の給紙装置では、用紙保持部材が給紙カセットに覆設されている場合に、搬送装置による用紙の搬送を開始することができる。一方、請求項１１記載の給紙装置では、用紙保持部材が給紙カセットに覆設されていない場合や、給紙カセットと共に用紙保持部材が給紙口から取り外された場合に、搬送装置による用紙の搬送を開始させない。
【０１１６】
よって、給紙カセットに用紙保持部材が覆設されていない場合おいて、排紙口から排出された用紙が給紙カセットへ直接排出されて搬送装置により再搬送されることを防止することができるという効果がある。従って、搬送装置により一度搬送されて所定の処理が行われた用紙、例えば、印刷や画像読み取りが行われた用紙が搬送装置により誤って再搬送されることを防止することができるという効果がある。
【図面の簡単な説明】
【図１】本発明の一実施例である給紙装置を備えたプリンタの内部構造を示した側断面図である。
【図２】図１の部分的な拡大側断面図である。
【図３】給紙カセットとカセットカバーとの外観斜視図である。
【図４】（ａ）は、図１のＩＶ−ＩＶ線におけるプリンタの平断面図であって、カセットカバーが給紙カセットと共にカセット装着部に挿嵌された状態を示した図であり、（ｂ）は、図１のＩＶ−ＩＶ線におけるプリンタの平断面図であって、給紙カセットと共にカセットカバーがカセット装着部から取り外された状態を示した図である。
【図５】第２実施例のプリンタの内部構造を示した拡大側断面図である。
【図６】第３実施例のプリンタの内部構造を示した拡大側断面図である。
【図７】第４実施例のプリンタの内部構造を示した拡大側断面図である。
【図８】第５実施例のプリンタの内部構造を示した拡大側断面図である。
【図９】第６実施例のプリンタの内部構造を示した拡大側断面図である。
【図１０】第７実施例のプリンタの内部構造を示した側断面図である。
【図１１】第８実施例のプリンタの内部構造を示した拡大側断面図である。
【符号の説明】
１，２０，３０，４０，５０，６０      プリンタ
１ｂ                                  カセット装着部（給紙口の一部）
２                                    給紙装置
２ａ                                  給紙口（給紙口の一部）
２ｂ                                  排紙口
２ｃ                                  連通空間
４                                    給紙カセット
５，２１，３１，４１，５１，６１      カセットカバー（用紙保持部材）
５ａ，２１ａ，４１ａ，５１ａ，６１ａ  用紙端受け部
５ｂ                                  用紙載置部
５ｃ                                  仕切部材
５ｄ，４１ｂ，５１ｂ，６１ｂ          手差し給紙口（手差し給紙口の一部）５ｅ，３１ａ，４１ｃ，５１ｃ          突起部材
５ｆ                                  案内板（案内部材）
５ｇ                                  間隙（手差し給紙口の一部）
５ｋ                                  スイッチ作動片（検出片）
８                                    給紙ローラ（搬送装置の一部）
９                                    分離パッド（搬送装置の一部）
１０                                  従動ローラ（搬送装置の一部）
１１                                  ＬＦローラ（搬送装置の一部）
１２，１７                            押さえローラ（搬送装置の一部）
１８                                  排紙ローラ（搬送装置の一部）
１９                                  検出スイッチ装置（スイッチ装置）
７０，８０                            プリンタ
７１，８１                            カセットカバー（用紙保持部材）
７１ａ，８１ａ                        用紙端受け部
７１ｂ                                用紙載置部（傾斜受け部）
７１ｃ，８１ｂ                        手差し給紙口（手差し給紙口の一部）８２                                  仕切部材（突起部材、仕切部材）
Ｐ                                    記録用紙
Ｘ１                                  給紙方向
Ｘ２                                  排出方向（用紙排出方向）
Ｘ３                                  挿入方向（用紙挿入方向）
【図１】
0003598898.tif 000002
【図２】
0003598898.tif 000003
【図３】
0003598898.tif 000004
【図４】
0003598898.tif 000005
【図５】
0003598898.tif 000006
【図６】
0003598898.tif 000007
【図７】
0003598898.tif 000008
【図８】
0003598898.tif 000009
【図９】
0003598898.tif 000010
【図１０】
0003598898.tif 000011
【図１１】
0003598898.tif 000012